(57)【要約】ビデオ/オーディオのマン・マシン・コミュニケーション環境を提供するためのシステムとプロセスを公開する。ユーザーがアプリケーションを実行すると、統合化されたプレゼンテーションスペースを規定するフレームモジュールが出力される。それは、ビデオ/オーディオ・インタラクティブ表示インターフェース、予め録画／録音されたビデオ/オーディオ・データベース、ユーザーの応答ビデオ/オーディオを記録するためのデータベースを含む。ユーザーまたは管理者が、予め録画／録音されたビデオ/オーディオのデータベースを管理する。ユーザーが、ビデオ/オーディオ・データベース中の予め録画／録音されたビデオ/オーディオ・クリップを再生する。ユーザーが、予め録画／録音された各ビデオ/オーディオに基づいて、自分の応答ビデオ／オーディオをビデオ入力としてコンピューターへ録画／録音する。ユーザーは、録画／録音された応答ビデオ/オーディオをプレビューする。
2006502607.tif 000002
【特許請求の範囲】
【請求項１】
ユーザーが新規なマン・マシン・コミュニケーションインターフェースとして非リアルタイムに視認できる形でコンピューターと情報交換する方法であって、ビデオ／オーディオ・キャプチャー装置、ビデオ/オーディオ表示インターフェース、予め録画／録音されたビデオ/オーディオ・データベース、応答ビデオ/オーディオ・データベース、および当該方法を駆動するためのソフトウエアを含む前記方法。
【請求項２】
ユーザーまたは管理者が、先ずコンピューターの中に予め録画／録音されたビデオ/オーディオのデータベースを作製および管理し；ユーザーが予め録画／録音されたビデオ/オーディオ・データベースの中から選んだビデオ/オーディオ群を再生し；ユーザーがビデオ/オーディオ群の中から選んだビデオ/オーディオ・クリップを再生した後、その応答ビデオ/オーディオを録画／録音開始し；次いで、応答ビデオ/オーディオをプレビューし；満足なら、ビデオ/オーディオ群の中の次のビデオ/オーディオ・クリップを一つ再生し、そうでないなら録画／録音を削除して、新たに応答ビデオ/オーディオを録画／録音開始し；ビデオ/オーディオ群の中のすべてのオーディオ／ビデオ・クリップを再生した後には、応答ビデオ/オーディオ・データベース内に特定の応答ビデオ/オーディオ群ができあがることを特徴とする、請求項1に記載の方法。
【請求項３】
前記ユーザーは自分のアカウントを作製しまたは開いて、応答ビデオ/オーディオをビデオ/オーディオ・データベース内に格納することができる、請求項２に記載の方法。
【請求項４】
前記ユーザーまたは管理者が予め録画／録音されたビデオ/オーディオ・データベースを作製し管理することは、ユーザーまたは管理者が予め録画／録音されたビデオ/オーディオ・データベースを作製し、開きまたは編集することを意味する、請求項２に記載の方法。
【請求項５】
前記予め録画／録音されたビデオ/オーディオ・データベースを開くことは、ユーザーまたは管理者が、例えばパスワードとアカウントを使ってログインするなどの方法で予め録画／録音されたビデオ/オーディオ・データベースに入ることを意味する、請求項２に記載の方法。
【請求項６】
前記予め録画／録音されたビデオ/オーディオのデータベースを編集することは、ユーザーまたは管理者が、新しいビデオ/オーディオ・クリップを組み入れたり、ビデオ/オーディオ・クリップを削除したり、ビデオ/オーディオ・クリップの名称を変更するなどの方法で予め録画／録音されたビデオ/オーディオ・データベースを編集することを意味する、請求項２に記載の方法。
【請求項７】
予め録画／録音されたビデオ/オーディオは、あらゆる種類のビデオ/オーディオ・クリップまたはアニメーションデータでよい、請求項１または２に記載の方法。
【請求項８】
予め録画／録音されたビデオ/オーディオは、様々なグループまたは群に配列することができる、請求項１または２に記載の方法。
【請求項９】
予め録画／録音されたビデオ/オーディオは、あらゆる内容のビデオ/オーディオであり得る、請求項１または２に記載の方法。
【請求項１０】
予め録画／録音されたビデオ/オーディオ・データベースは、一以上のビデオ/オーディオ群であり得る、請求項１または２に記載の方法。
【請求項１１】
応答ビデオ/オーディオは、オリジナルのものでも加工したものでもよい、請求項２に記載の方法。
【請求項１２】
データベースは、ビデオ/オーディオ・リスト、ビデオ/オーディオ群またはデータベースのようなあらゆる種類のデータ格納手段であり得る、請求項１、２または３に記載の方法。
【請求項１３】
ユーザーは、インターネット、イントラネット、有線テレビネット、さらにその他の通信ネットワークを介して配信されるウエブページおよび／またはサーバの使用を通じて促される、請求項２に記載の方法。
【請求項１４】
ユーザーは、無線装置の使用を通じて促される、請求２に記載の方法。
【請求項１５】
ユーザーは、携帯機器の使用に応答してアクセスが許可されるテレホンアクセスを通じて促される、請求２に記載の方法。
【請求項１６】
ユーザーは、リモート接続のレジャー設備の使用を通じて促される、請求２に記載の方法。
【請求項１７】
ユーザーは、スタンドアローンのレジャー設備の使用を通じて促される、請求２に記載の方法。
【請求項１８】
ユーザーは、DVD、CD-RまたはCD-RWの使用を通じて促される、請求２に記載の方法。
【請求項１９】
ユーザーは、制御機器の使用を通じて促される、請求２に記載の方法。
【請求項２０】
請求項２に記載の方法が組み込まれたオンラインシステムであって、インターネット、イントラネット、無線ネットワークまたはその他の通信ネットワークを通じたユーザーとシステムとのビデオ／オーディオに基づいた情報交換のための前記オンラインシステム。
【請求項２１】
オンラインシステムは、ウエブサーバやアプリケーションサーバのようなサーバを含み得る、請求項２０に記載のオンラインシステム。
【請求項２２】
請求項２に記載の方法が組み込まれたスタンドアローンシステムであって、ユーザーとコンピューターとのビデオ／オーディオに基づいた情報交換のための前記システム。
【請求項２３】
前記システムはインタビューシステムであり、予め録画／録音されたビデオ/オーディオは質問ビデオ/オーディオである、請求項２０または２２に記載のシステム。
【請求項２４】
前記システムはトレーニングシステムであり、予め録画／録音されたビデオ/オーディオは教習ビデオ/オーディオである、請求項２０または２２に記載のシステム。
【請求項２５】
前記システムはレジャーシステムであり、予め録画／録音されたビデオ/オーディオは娯楽ビデオ/オーディオである、請求項２０または２２に記載のシステム。
【請求項２６】
前記システムはコンサルティングシステムであり、予め録画／録音されたビデオ/オーディオはコンサルティングに関連したビデオ/オーディオである、請求項２０または２２に記載のシステム。
【請求項２７】
前記システムは試験システムであり、予め録画／録音されたビデオ/オーディオは試験と関連したビデオ/オーディオである、請求項２０または２２に記載のシステム。
【請求項２８】
前記システムは記者取材システムであり、予め録画／録音されたビデオ/オーディオは記者取材と関連したビデオ/オーディオである、請求項２０または２２に記載のシステム。
【請求項２９】
前記システムはデートシステムであり、予め録画／録音されたビデオ/オーディオはデートと関連したビデオ/オーディオである、請求項２０または２２に記載のシステム。
【請求項３０】
前記システムは言語学習システムであり、予め録画／録音されたビデオ/オーディオは言語学習と関連したビデオ/オーディオである、請求項２０または２２に記載のシステム。
【請求項３１】
前記システムはビデオガードシステムであり、予め録画／録音されたビデオ/オーディオは護衛または警備と関連したビデオ/オーディオである、請求項２０または２２に記載のシステム。
【請求項３２】
前記システムは、テレビがあらゆる内容の番組を上映しそしてVCRがあらゆる内容のビデオを再生するとのと同じように、予め録画／録音されたビデオ/オーディオの内容と関連する名称を有するシステムであり得る、請求項２０または２２に記載のシステム。
【請求項３３】
システムは予め録画／録音されたビデオ/オーディオの内容に依存しない、請求項２０または２２に記載のシステム。
【発明の詳細な説明】
【技術分野】
【０００１】
本発明は、一般的にはビデオ/オーディオに基づいたマン・マシン・コミュニケーションシステムに関し、予め録画／録音されたビデオ/オーディオへの応答としてヒューマンビデオ/オーディオをコンピューター内に取り込む方法に関する。
特に本発明は、コンピューター内の予め録画／録音されたビデオ/オーディオを管理し、応答の手順および応答ビデオ/オーディオを非リアルタイムモードで処理することを管理するシステムと方法に関する。
【背景技術】
【０００２】
ウエブカムやデジタルカメラの速やかな発展に連れ、益々多くのビデオ/オーディオ・アプリケーションを持てるようになってきた。今日、多くのビデオ/オーディオ・アプリケーションは、例えばビデオ/オーディオチャットやリアルタイムテレビ会議のようにリアルタイムである。しかし、ビジネス量が非常に多い場合、リアルタイムで多くのスタッフを配置して消費者と対面式に対応することはできない。消費者の類似した問合せの繰り返しや通りすがりの人のようなユーザーに対応することはできない。リアルタイムモードで、消費者の面倒を見るために大量のタイプ作業を扱うことはできない。こういった状況は仕事効率を低下させるので、問題である。
【０００３】
従って、時間と金の節約のために消費者に綿密且つ効率のあるサービスを提供する必要がある。本発明のシステムおよび方法によれば、我々のサービスをビデオ/オーディオのデータベース内に配置し、消費者の応答ビデオ/オーディオを非リアルタイムに取得することができる。対面方式と似た方法で我々が知りたいことを消費者から的確に受け取ることができる。また、対面方式と似たような方法で我々のサービスを的確に提供することができる。本発明は、我々のビジネスに対してより多くの効率性と正確性を提供する。
【０００４】
一方、我々の生活において、学習とレジャーもまた重要である。従来、我々がなにかのビデオまたはプレゼンテーションを作りたいとき、VCR、ビデオ・テープ、ビデオ・カメラとアシスタントが必要である。それには多くのビデオ・テープの切り替え作業が必要になってしまう。明らかに不便である。本発明に従えば、管理できるビデオデータベースに教育ビデオ(歌でも演説でもよい)を予め録画／録音して、そしてこのシステムを利用して学習し、練習し、そして学習結果のビデオをE-mailにて指定した送り先へ送信することもできる。
【０００５】
今日、メディア放送アプリケーション(ビデオプレーヤー)の用途は沢山あるが、それは視聴者からの応答ビデオ/オーディオを取得することができない。ウエブカムと連携したアプリケーションは、ユーザーのビデオ/オーディオを撮ってコンピューターに保存することができるが、しかしそれは分散したものであって、特定のビジネスに対する応答としてのビデオ/オーディオを記録することはできない。それは互いにアドバンテージが欠け、情報交換できるものではない。本発明は、その両方を一つのシステムと一つのプロセスに結びつけ、ユーザーと所有者に斬新なインタラクティブ通信方法を提供する。それは、非リアルタイムビデオ/オーディオの方法に基づいて、ユーザーがコンピューターまたはビジネスと情報交換することができる。
【発明の開示】
【発明が解決しようとする課題】
【０００６】
上記内容を踏まえて言えば、本発明の目的はビデオ／オーディオに基づいたマン・マシン・コミュニケーションを提供して、我々の実生活やビジネス中でのあらゆる特定の要求を満たすということである。
【０００７】
本発明の更なる目的は、一つのシステムとプロセスを提供することによって、ビジネスと関連した、予め録画／録音されたビデオ/オーディオ・データベースを作り、そしてユーザーの応答ビデオ/オーディオを撮ってビデオ/オーディオ・データベースに保存して、特定ビジネスの目的を達成することである。
【０００８】
本発明のもう一つの目的は、ユーザー、所有者または管理者に対して、ユーザーの特定なビジネス目標を管理するために、予め録画／録音されたビデオ/オーディオ・データベースと応答ビデオ/オーディオ・データベースを提供することである。
【課題を解決するための手段】
【０００９】
本発明は、ユーザーにコンピューターと情報交換させる新規な方法を提供する。背景の中で触れたように、本発明は、(VCR、CD/DVDプレーヤー、レジャー装置(kiosk device)、ゲーム機(playstation)とのような)スタンドアローン環境や、(リアルタイムアプリケーション：ビデオ/オーディオチャット、テレビ会議、メディアプレーヤーのような)ネットワーク環境に適用できる。
【００１０】
予め録画／録音されたビデオ/オーディオ・データベースは、様々なビジネス目的に基づいて作り上げることができるため、同じシステムと方法を異なるビジネス用途で異なる名前をつけることができる。各用途は、迫真のビデオ/オーディオに基づく現実（reality）を提供し、これはインタラクティブ・ビデオ・リアリティである。
従って、本発明の適用技術は、ビデオ・リアリティ処理技術、あるいはインタラクティブ・リアリティ処理技術と呼ぶことができる。これは、このアプリケーションをもって提供したい新しい技術概念および領域である。一般的に言えば、ビデオ・リアリティとインタラクティブ・ビデオ・リアリティの処理技術は、ビデオ/オーディオを通じてユーザーとシステムを交流させ、そしてビジネスリアリティを生み出す技術と定義することができる。
当然、我々が受身の立場で見ている映画やテレビとは異なる。例えば、背景の中で述べたように、対面式と似たような消費者サービスを提供するために質問ビデオ/オーディオを予め録画／録音されたビデオ/オーディオのデータベースにまとめた場合、オンラインとオフラインのどちらも代表するインタビューアの現実や消費者サービスを作ったようなものである。また、背景に触れたように、学習サービスを提供するために学習のビデオ/オーディオを予め録画／録音されたビデオ/オーディオのデータベースにまとめた場合、本発明は指導教師や補導員を作ったのも同然である。もちろん、本発明によれば、ビジネスに供する多くの他の例と名称が存在する。
【００１１】
本発明は、バスケットや車と似ている。バスケットや車は、色々な物を積むことができる。本発明は、予め録画／録音したいものなら何でも録画／録音したビデオ/オーディオを持つことができる。予め録画／録音されたビデオ/オーディオを管理するためのロジックのみが、本発明を用いて運営したいビジネスである。
【００１２】
システムとプロセスは、ビデオ／オーディオ・キャプチャー装置、ビデオ/オーディオ・インタラクティブ表示インターフィース、予め録画／録音されたビデオ/オーディオのデータベース、ユーザー応答ビデオ/オーディオのデータベースを含んでいる。
【００１３】
ユーザーまたは管理者は、予め録画／録音されたビデオ/オーディオのデータベースを管理することができる。彼らは、ビデオ/オーディオ・クリップをビデオ/オーディオ・データベースに追加することができる。彼らは、ビデオ/オーディオ・データベースからビデオ/オーディオ・クリップを削除することができる。
【００１４】
ユーザーは、予め録画／録音されたビデオ/オーディオに基づいて、自分の応答ビデオ/オーディオをビデオ入力としてコンピューターに録画／録音することができる。ユーザーは、録画／録音された応答ビデオ/オーディオをプレビューすることができる。
【００１５】
図2は、本システムの詳細プロセスを説明している。第一のステップは、管理者、またはユーザーが予め録画／録音されたビデオ/オーディオのデータベースを管理することである。そしてユーザーは、特定のビデオ/オーディオ群からビデオ/オーディオを一つ選んで再生する。再生終了後、ユーザーは、そのビデオ/オーディオ・クリップに対して応答を開始する。次いで、ユーザーは、録画／録音されたビデオ/オーディオ・クリップをプレビューする。満足なら、ビデオ/オーディオ群の中の次のビデオ/オーディオ・クリップを一つ再生する。もしこのユーザーが録画／録音した内容を納得しなかった場合、それを削除して、新たに応答ビデオ/オーディオを録画／録音開始する。ユーザーがビデオ/オーディオ群の中のすべてのオーディオ／ビデオ・クリップを見終えた後には、応答ビデオ/オーディオ・データベースの中に特定の応答ビデオ/オーディオ群ができ上がる。
【００１６】
ビデオ/オーディオ表示インターフェースは、ビデオ/オーディオ・プレゼンテーションスペースおよびシステム方法をコントロールするための制御盤（いろいろなコマンドボタンを含む）を含んでいる。
【発明を実施するための最良の形態】
【００１７】
発明したシステムと方法は、ビデオ/オーディオ・キャプチャー装置、ビデオ/オーディオ・インタラクティブ表示インターフェース、予め録画／録音されたビデオ/オーディオ・データベース、ユーザー応答ビデオ/オーディオ・データベースが含まれている。
【００１８】
ユーザーまたは管理者は、予め録画／録音されたビデオ/オーディオのデータベースを管理することができ、ビデオ/オーディオ・クリップを予め録画／録音されたビデオ/オーディオのデータベースに追加することができる。また、予め録画／録音されたビデオ/オーディオ・データベースからビデオ/オーディオ・クリップを削除することもできる。予め録画／録音されたビデオ/オーディオ・データベースのビデオ/オーディオ・クリップの名称を変更することもできる。
【００１９】
ユーザーは、予め録画／録音されたビデオ/オーディオ・データベースの中の再生したビデオ/オーディオ・クリップに基づいて、自分の応答ビデオ／オーディオをビデオ入力としてコンピューターへ録画／録音することができる。ユーザーは、録画／録音された応答ビデオ/オーディオをプレビューすることができる。
【００２０】
図2は、本システムの方法の詳細ステップを説明している。第一のステップは、管理者またはユーザーが、予め録画／録音されたビデオ/オーディオ・データベースを管理することである。そしてユーザーは、特定のビデオ/オーディオ群からビデオ/オーディオを一つ選んで再生する。再生終了後、ユーザーは、そのビデオ/オーディオ・クリップに対して応答を開始する。次いで、ユーザーは、録画／録音された応答ビデオ/オーディオ・クリップをプレビューする。もし満足なら、ビデオ/オーディオ群の中の次に選ぶビデオ/オーディオ・クリップを一つ再生し、そうでなければ、応答ビデオ/オーディオを削除して、新たに応答ビデオ/オーディオを録画／録音開始する。ユーザーがビデオ/オーディオ群の中のすべてのオーディオ／ビデオ・クリップを見終えた後には、応答ビデオ/オーディオ・データベースの中に特定の応答ビデオ/オーディオ群ができ上がる。
【００２１】
本発明と関連するビデオ/オーディオ表示インターフェースは、ビデオ/オーディオ・プレゼンテーションスペースと、システム方法をコントロールするための制御盤（色々な指令ボタン、例えば再生、次再生、練習、録画／録音、プレビュー、削除、ストップ、ホストビデオ/オーディオ編集、応答ビデオ/オーディオ編集などを含む。）が含まれている。
【００２２】
上述した発明のシステムとプロセスの一実施態様が、一つのスタンドアローンのシステムであり、即ち、発明を一つの独立した環境に集積し、そしてこの発明を利用して非リアルタイム方式のビデオ／オーディオに基づいてコンピューターと情報交換することである。
【００２３】
上述した発明のシステムとプロセスのもう一つの実施態様は、オンラインシステムであり、即ち、本発明を一つのネットワーク環境、例えばインターネットやイントラネットに組み込み、そしてこの発明を利用して非リアルタイム方式（ある種のネットワークでワーキングする）のビデオ／オーディオに基づいてコンピューターと情報交換することである。
【００２４】
恐らく、その他の実施態様では、上述した二つ実施態様と異なる環境に本発明を組み込むことができるかもしれない。
【００２５】
本発明は、マン・マシン・コミュニケーションと関連しているので、幅広い応用を持つはずである。生活に本発明を使う例をすべて挙げることはできないが、以下に、本発明と関連する特別なビジネス用途をいくつか述べる。
【００２６】
予め録画／録音されたビデオ/オーディオ・クリップが、質問ビデオ/オーディオ・クリップの場合、この二実施態様をインタビューシステムと命名することができる。
【００２７】
予め録画／録音されたビデオ/オーディオ・クリップが、教習ビデオ/オーディオ・クリップである場合、この二実施態様をトレーニングシステムと命名することができる。
【００２８】
予め録画／録音されたビデオ/オーディオ・クリップが、娯楽ビデオ/オーディオ・クリップである場合、この二実施態様を、レジャーシステムと命名することができる。
【００２９】
予め録画／録音されたビデオ/オーディオ・クリップが、コンサルティングと関連したビデオ/オーディオ・クリップである場合、この二実施態様をコンサルティングシステムと命名することができる。
【００３０】
予め録画／録音されたビデオ/オーディオ・クリップが、試験と関連したビデオ/オーディオ・クリップである場合、この二実施態様を試験システムと命名することができる。
【００３１】
予め録画／録音されたビデオ/オーディオ・クリップが、記者取材と関連したビデオ/オーディオ・クリップである場合、この二実施態様を記者取材システムと命名することができる。
【００３２】
予め録画／録音されたビデオ/オーディオ・クリップが、デートと関連したビデオ/オーディオ・クリップである場合、この二実施態様をデートシステムと命名することができる。
【００３３】
予め録画／録音されたビデオ/オーディオ・クリップが、言語学習と関連したビデオ/オーディオ・クリップである場合、この二実施態様を言語学習システムと命名することができる。
【００３４】
予め録画／録音されたビデオ/オーディオ・クリップが、ビデオ/オーディオによる護衛または警備と関連したビデオ/オーディオ・クリップである場合、この二実施態様をビデオガードシステムと命名することができる。
【００３５】
本発明の一実施態様を上述したビジネス用途と異なるビジネスの中に応用できる場合、恐らくその他の名前のシステムがあり得る。
【図面の簡単な説明】
【００３６】
【図１】システムとプロセスの構造に関する概略ブロック図である。
【図２】システムとプロセス機能に関する概略ブロック図である。
【図３】ビデオ/オーディオ表示インターフェースに関する概略図である。
【図１】
2006502607.tif 000003
【図２】
2006502607.tif 000004
【図３】
2006502607.tif 000005
【手続補正書】
【提出日】平成15年9月7日(2003.9.7)
【手続補正１】
【補正対象書類名】特許請求の範囲
【補正対象項目名】全文
【補正方法】変更
【補正の内容】
【特許請求の範囲】
【請求項１】
ユーザーが新規なマン・マシン・コミュニケーションインターフェースとして非リアルタイムにコンピューターと情報交換する方法であって、ビデオ／オーディオ・キャプチャー装置、キャプチャービデオ/オーディオ表示インターフェース、予め録画／録音されたビデオ/オーディオ・データベース、応答ビデオ/オーディオ・データベース、および当該方法を駆動するためのソフトウエアのすべてまたは一部を含む前記方法。
【請求項２】
ユーザーが予め録画／録音されたビデオ/オーディオ群を選択し、その中の一つのビデオ/オーディオ・クリップを再生し；その後、その応答ビデオ/オーディオ・クリップを録画／録音開始し；次いで、ビデオ/オーディオ群中の次のビデオ/オーディオ・クリップを再生した後、応答ビデオ/オーディオを録画／録音開始し；選択したビデオ/オーディオ群の中のすべてのオーディオ／ビデオ・クリップを再生した後には、応答ビデオ/オーディオ群ができあがる、請求項1に記載の方法。
【請求項３】
前記ユーザーは自分のアカウントを作製しまたは開いて、応答ビデオ/オーディオをビデオ/オーディオ・データベース内に格納し、録画／録音した応答ビデオ／オーディオ群を見ることができる、請求項２に記載の方法。
【請求項４】
前記ユーザーまたは管理者は、予め録画／録音されたビデオ/オーディオ・データベースを編集する、予め録画／録音されたビデオ/オーディオ・データベース群を構築するなどの予め録画／録音されたビデオ/オーディオ・データベースを管理する方法のために、自分のアカウントを作製しまたは開くことが可能である、請求項２に記載の方法。
【請求項５】
自分のアカウントを作製しまたは開くとは、パスワードおよびアカウントネームでログインするなどのログイン方法を用いて、関連するビデオ/オーディオ・データベースへ入ることを意味する、請求項３または４に記載の方法。
【請求項６】
予め録画／録音されたビデオ/オーディ・データベースを編集することは、ユーザーまたは管理者が、新しいビデオ/オーディオ・クリップを組み入れたり、ビデオ/オーディオ・クリップを削除したりするなどを意味する、請求項４に記載の方法。
【請求項７】
予め録画／録音されたビデオ/オーディオは、グラフィック、画像、フラッシュ、スライド、テキスト文書、混合データのようなあらゆる種類のビデオ/オーディオ・クリップまたはアニメーションデータでよい、請求項１または２に記載の方法。
【請求項８】
予め録画／録音されたビデオ/オーディオは、様々なグループまたは群に配列することができる、請求項１または２に記載の方法。
【請求項９】
予め録画／録音されたビデオ/オーディオは、あらゆる内容のビデオ/オーディオであり得る、請求項１または２に記載の方法。
【請求項１０】
予め録画／録音されたビデオ/オーディオ・データベースは、一以上のビデオ/オーディオ群があり得る、請求項１または２に記載の方法。
【請求項１１】
応答ビデオ/オーディオは、ある種の方法で加工済みのものでもよい、請求項１または２に記載の方法。
【請求項１２】
データベースは、一以上のビデオ/オーディオ・リスト、一以上のビデオ/オーディオ群、または一以上のビデオ/オーディオ・データベースのようなあらゆる種類のデータ格納手段であり得る、請求項１、３、４または５に記載の方法。
【請求項１３】
ユーザーは、インターネット、イントラネット、有線テレビネット、その他の通信ネットワークを介して配信されるウエブページおよび／またはサーバの使用を通じて促される、請求項２に記載の方法。
【請求項１４】
ユーザーは、無線装置の使用を通じて促される、請求２に記載の方法。
【請求項１５】
ユーザーは、携帯機器の使用に応答してアクセスが許可されるテレホンアクセスを通じて促される、請求２に記載の方法。
【請求項１６】
ユーザーは、リモート接続のレジャー設備の使用を通じて促される、請求２に記載の方法。
【請求項１７】
ユーザーは、スタンドアローンのレジャー設備の使用を通じて促される、請求２に記載の方法。
【請求項１８】
ユーザーは、DVD、DVD-RW、CD-R、CD-RWなどの使用を通じて促される、請求２に記載の方法。
【請求項１９】
ユーザーは、制御機器の使用を通じて促される、請求２に記載の方法。
【請求項２０】
請求項１、２または３６に記載の方法が組み込まれたオンラインシステムであって、インターネット、イントラネット、無線ネットワーク、その他の通信ネットワークを通じたユーザーとシステムとのビデオ／オーディオに基づいた情報交換のための前記オンラインシステム。
【請求項２１】
オンラインシステムは、ウエブサーバやアプリケーションサーバのようなサーバを含み得る、請求項２０に記載のオンラインシステム。
【請求項２２】
請求項１、２、３、４、５、６、３６または３７に記載の方法が組み込まれたスタンドアローンシステムであって、ユーザーとコンピューターとのビデオ／オーディオに基づいた情報交換のための前記システム。
【請求項２３】
前記システムはインタビューシステムであり、予め録画／録音されたビデオ/オーディオは質問ビデオ/オーディオである、請求項２０または２２に記載のシステム。
【請求項２４】
前記システムはトレーニングシステムであり、予め録画／録音されたビデオ/オーディオは教習ビデオ/オーディオである、請求項２０または２２に記載のシステム。
【請求項２５】
前記システムはレジャーシステムであり、予め録画／録音されたビデオ/オーディオは娯楽ビデオ/オーディオである、請求項２０または２２に記載のシステム。
【請求項２６】
前記システムはコンサルティングシステムであり、予め録画／録音されたビデオ/オーディオはコンサルティングに関連したビデオ/オーディオである、請求項２０または２２に記載のシステム。
【請求項２７】
前記システムは試験システムであり、予め録画／録音されたビデオ/オーディオは試験と関連したビデオ/オーディオである、請求項２０または２２に記載のシステム。
【請求項２８】
前記システムは記者取材システムであり、予め録画／録音されたビデオ/オーディオは記者取材と関連したビデオ/オーディオである、請求項２０または２２に記載のシステム。
【請求項２９】
前記システムはデートシステムであり、予め録画／録音されたビデオ/オーディオはデートと関連したビデオ/オーディオである、請求項２０または２２に記載のシステム。
【請求項３０】
前記システムは言語学習システムであり、予め録画／録音されたビデオ/オーディオは言語学習と関連したビデオ/オーディオである、請求項２０または２２に記載のシステム。
【請求項３１】
前記システムはビデオガードシステムであり、予め録画／録音されたビデオ/オーディオは護衛または警備と関連したビデオ/オーディオである、請求項２０または２２に記載のシステム。
【請求項３２】
前記システムは、テレビがあらゆる内容の番組を上映しそしてVCRがあらゆる内容のビデオを再生するとのと同じように、予め録画／録音されたビデオ/オーディオの内容と関連する名称を有するシステムであり得る、請求項２０または２２に記載のシステム。
【請求項３３】
前記システムは予め録画／録音されたビデオ/オーディオの内容に依存しない、請求項２０または２２に記載のシステム
【請求項３４】
請求項１または２に記載の予め録画／録音されたビデオ/オーディオであって、コンテンツデータとしてのオーディオ・クリップであり、そしてまた、あらゆる種類のフォーマットのコンテンツデータである、前記予め録画／録音されたビデオ/オーディオ。
【請求項３５】
請求項１または２に応答ビデオ/オーディオは、コンテンツデータとしてのオーディオ・クリップであり、そしてまた、あらゆる種類のフォーマットのコンテンツデータである、前記応答ビデオ/オーディオ。
【請求項３６】
ユーザーまたは管理者は応答ビデオ/オーディオを作製した後、その応答ビデオ/オーディオをプレビューすることをさらに含む、請求項２に記載の方法。
【請求項３７】
ユーザーまたは管理者は応答ビデオ/オーディオ・クリップをプレビューし、満足ならビデオ/オーディオ群の中の次のビデオ/オーディオ・クリップを一つ再生し、そうでないなら録画／録音を削除して、新たに応答ビデオ/オーディオを録画／録音開始することをさらに含む、請求項２に記載の方法。
【請求項３８】
請求項２、３、４、１０、１２または３７に記載のビデオ/オーディオ群であって、一以上のビデオ/オーディオ・クリップを有する前記ビデオ/オーディオ群。
【請求項３９】
請求項１または２に記載の予め録画／録音されたビデオ/オーディオまたは応答ビデオ/オーディオであって、あらゆる適当な方法で管理され得る、前記予め録画／録音されたビデオ/オーディオまたは応答ビデオ/オーディオ。
【手続補正２】
【補正対象書類名】明細書
【補正対象項目名】００１８
【補正方法】変更
【補正の内容】
【００１８】
ユーザーまたは管理者は、予め録画／録音されたビデオ/オーディオのデータベースを管理することができ、ビデオ/オーディオ・クリップを予め録画／録音されたビデオ/オーディオのデータベースに追加することができる。また、予め録画／録音されたビデオ/オーディオ・データベースからビデオ/オーディオ・クリップを削除することもできる。
【手続補正３】
【補正対象書類名】図面
【補正対象項目名】図３
【補正方法】変更
【補正の内容】
【図３】
2006502607.tif 000006
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
ユーザーが新規なマン・マシン・コミュニケーションインターフェースとして非リアルタイムにコンピューターと情報交換するシステムまたは方法であって、ビデオ／オーディオ・キャプチャー装置、キャプチャービデオ/オーディオ表示インターフェース、予め録画／録音されたビデオ/オーディオ・データベース、応答ビデオ/オーディオ・データベース、および当該方法を駆動するためのソフトウエアのすべてまたは一部を含む前記システムまたは方法。
【請求項２】
ユーザーが予め録画／録音されたビデオ/オーディオ群を選択し、その中の一つのビデオ/オーディオ・クリップを再生し；その後、その応答ビデオ/オーディオ・クリップを録画／録音開始することを含み；あるいは逆の手順、すなわち、まず応答ビデオ/オーディオを録画／録音開始し、次いでビデオ/オーディオ群の中の一つのビデオ/オーディオ・クリップを再生することでも実現できる、前記請求項1に記載の方法。
【請求項３】
ユーザーが予め録画／録音されたビデオ/オーディオ群を選択し、その中の一つのビデオ/オーディオ・クリップを再生し；その後、その応答ビデオ/オーディオ・クリップを録画／録音開始し；次いで、ビデオ/オーディオ群中の次のビデオ/オーディオ・クリップを再生した後、再びその応答ビデオ/オーディオを録画／録音開始し；選択したビデオ/オーディオ群の中のすべてのオーディオ／ビデオ・クリップを再生した後には、応答ビデオ/オーディオ・データベース中に応答ビデオ/オーディオ群ができあがり、あるいは逆の手順、すなわちまず応答ビデオ/オーディオを録画／録音開始し、次いでビデオ/オーディオ群の中の一つのビデオ/オーディオ・クリップを再生し、もう一つの応答ビデオ/オーディオを録画／録音開始し、次いでビデオ/オーディオ群の中のもう一つのビデオ/オーディオ・クリップを再生し、選択したビデオ/オーディオ群中のすべてのビデオ/オーディオ・クリップを再生するまでこの手順を繰り返すことでも実現できる、請求項２に記載の方法。
【請求項４】
応答ビデオ/オーディオ・クリップを録画／録音した後、応答ビデオ/オーディオ・クリップをプレビューし、満足ならビデオ/オーディオ群の中の次のビデオ/オーディオ・クリップを一つ再生し、そうでないなら録画／録音を削除して、新たに応答ビデオ/オーディオを録画／録音開始することをさらに含む、請求項２または３に記載の方法。
【請求項５】
ユーザーが応答ビデオ/オーディオを録画／録音を開始する前に、応答ビデオ/オーディオを見ることができ、あるいは録画／録音せずに応答の練習をすることをさらに含む、請求項２に記載の方法。
【請求項６】
ユーザーまたは管理者は、予め録画／録音されたビデオ/オーディオ・データベースを編集（新規なビデオ/オーディオ・クリップの組み入れと削除）し、予め録画／録音されたビデオ/オーディオ・データベース群を構築するなどの予め録画／録音されたビデオ/オーディオ・データベースを管理する方法のために、パスワードおよびアカウントネームでログインするなどのログイン方法を用いて自分のアカウントを作製しまたは開くことが可能であり、応答ビデオ/オーディオを応答ビデオ/オーディオ・データベースへ格納し、録画／録音した応答ビデオ／オーディオを見るためにパスワードおよびアカウントネームでログインするなどのログイン方法を用いて自分のアカウントを作製しまたは開くことが可能であることをさらに含む、請求項２または３に記載の方法。
【請求項７】
請求項１、２、３、４、５または６に記載された予め録画／録音されたビデオ/オーディオまたは応答ビデオ/オーディオであって、コンテンツとして、グラフィック、画像、フラッシュ、スライド、テキスト文書、混合データのようなあらゆる種類のフォーマットを有するコンテンツでよく、予め録画／録音されたビデオ/オーディオは、質問ビデオ/オーディオ、インタビュービデオ/オーディオ、教習ビデオ/オーディオ、娯楽ビデオ/オーディオ、コンサルティングに関連したビデオ/オーディオ、試験と関連したビデオ/オーディオ、記者取材と関連したビデオ/オーディオ、デートと関連したビデオ/オーディオ、言語学習と関連したビデオ/オーディオ、警備と関連したビデオ/オーディオなどであり、応答ビデオ/オーディオはある種の方法で加工したものでもよい、前記予め録画／録音されたビデオ/オーディオまたは応答ビデオ/オーディオ。
【請求項８】
請求項１、２、３、４、５または６に記載の予め録画／録音されたビデオ/オーディオまたは応答ビデオ/オーディオであって、あらゆる適当な方法および格納手段、例えば一以上のビデオ/オーディオ・リスト、一以上のビデオ/オーディオ群または一以上のビデオ/オーディオ・データベースで管理され、前記請求項１、２、３、４または６に記載のビデオ/オーディオ・データベースおよび群は一以上のビデオ/オーディオ・クリップを有する、前記予め録画／録音されたビデオ/オーディオまたは応答ビデオ/オーディオ。
【請求項９】
ユーザーは、インターネット、イントラネット、有線テレビネット、その他の通信ネットワークを介して配信されるウエブページおよび／またはサーバの使用を通じて促される、請求項２または３に記載の方法。
【請求項１０】
ユーザーは、無線装置、携帯機器、リモート接続のレジャー設備、制御装置、その他のスタンドアローン装置を通じて促される、請求２または３に記載方法。
【手続補正２】
【補正対象書類名】図面
【補正対象項目名】図２
【補正方法】変更
【補正の内容】
【図２】
2006502607.tif 000007
【国際調査報告】
2006502607.tif 000008